(57)【要約】【課題】種々のサイズのディスプレイであっても筐体の上面に確実に設置棚を設けることができるようにすること。【解決手段】本発明は、ディスプレイの筐体における前面に当接する状態で配置される前面板１０と、前面板１０とＬ字型を構成するよう設けられ、筐体における上面に当接する状態で配置される上面板２０と、上面板２０の後端側を支点にして回転可能に設けられる背面板３０と、背面板３０の可動端側を上面板２０の裏面との間で支持するアーム４０と、背面板３０の可動端側に回転可能に設けられ、筐体の表面に接するよう配置されるＵ字型パッド５０とを備えるディスプレイ用設置棚１である。【選択図】図２
2009033370.tif 000002
【特許請求の範囲】
【請求項１】
ディスプレイの筐体における前面に当接する状態で配置される前面板と、
前記前面板とＬ字型を構成するよう設けられ、前記筐体における上面に当接する状態で配置される上面板と、
前記上面板の後端側を支点にして回転可能に設けられる背面板と、
前記背面板の可動端側を前記上面板の裏面との間で支持するアームと、
前記背面板の可動端側に回転可能に設けられ、前記筐体の表面に接するよう配置されるパッドと
を備えることを特徴とするディスプレイ用設置棚。
【請求項２】
前記背面板は、可動端側が伸縮自在に設けられている
ことを特徴とする請求項１記載のディスプレイ用設置棚。
【請求項３】
前記アームは、前記上面板側の端部が前記上面板の裏面に沿ってスライド可能に設けられている
ことを特徴とする請求項１または２記載のディスプレイ用設置棚。
【請求項４】
前記パッドは、Ｕ字型に湾曲する湾曲部材を備えており、この湾曲部材の中央を通る法線に対して回転中心がずれて配置されることで、前記湾曲部材のＵ字型の開口が内側に向くよう設けられている
ことを特徴とする請求項１記載のディスプレイ用設置棚。
【発明の詳細な説明】
【技術分野】
【０００１】
本発明は、ディスプレイの筐体の上部に配置されるディスプレイ用設置棚に関する。
【背景技術】
【０００２】
近年、液晶テレビやプラズマテレビ、リアプロジェクションテレビといった薄型平面ディスプレイが多く開発されており、表示パネルを組み込む筐体の厚さ（奥行き）も非常に薄く形成できるようになってきている。
【０００３】
一方、このようなディスプレイに映像信号を供給するＶＴＲやＨＤＤレコーダ、チューナやゲーム機器といった電子機器、またスピーカやカメラといった周辺機器は所定の奥行きを持った筐体を備えており、薄型平面ディスプレイに対してその設置場所を工夫する必要が生じてきている（特許文献１）。
【０００４】
【特許文献１】特許第２８１９２４１号明細書
【発明の開示】
【発明が解決しようとする課題】
【０００５】
しかしながら、電子機器や周辺機器などを薄型平面ディスプレイの近くに配置したい場合、薄型平面ディスプレイのような奥行きの小さな筐体の上にこれらの機器を安定して載置するのは非常に困難である。しかも、特定のディスプレイに対して専用の設置棚はあるものの、種々のサイズのディスプレイに対応できる設置棚は考えられていない。
【課題を解決するための手段】
【０００６】
本発明はこのような課題を解決するために成されたものである。すなわち、本発明は、ディスプレイの筐体における前面に当接する状態で配置される前面板と、前面板とＬ字型を構成するよう設けられ、筐体における上面に当接する状態で配置される上面板と、上面板の後端側を支点にして回転可能に設けられる背面板と、背面板の可動端側を上面板の裏面との間で支持するアームと、背面板の可動端側に回転可能に設けられ、筐体の表面に接するよう配置されるパッドとを備えるディスプレイ用設置棚である。
【０００７】
このような本発明では、前面板と上面板とでＬ字型を構成し、筐体の前面と上面とにこのＬ字型を構成する前面板と上面板とが位置決めされる。一方、上面板の後端側には回転可能に背面板が設けられており、筐体の背面側において種々のサイズの筐体に対応できるようになっている。また、背面板の可動端側にはパッドが回転可能に設けられているため、筐体の表面の形状に合わせてパッドが回転して確実な接触を行うことができるようになっている。
【０００８】
また、本発明では、背面板の可動端側が伸縮自在に設けられていたり、アームの上面板側の端部がこの上面板の裏面に沿ってスライド可能に設けられていたり、その両方を備えているものであるため、背面板の可動端側に設けられるパッドの配置を自在に調整でき、種々のサイズのディスプレイ筐体に柔軟に対応できるようになる。
【０００９】
しかも、本発明では、Ｕ字型のパッドの回転中心が、湾曲部材の中央を通る法線に対してずれて配置されていることで、湾曲部材のＵ字型の開口が内側を向くように設けられていることから、ディスプレイの筐体の上面に配置することで前面板とＵ字型のパッドとで筐体を挟み込むような方向に力が加わり、種々の筐体形状に対して確実な設置を行うことができるようになる。
【発明の効果】
【００１０】
したがって、本発明によれば、種々のサイズのディスプレイであっても筐体の上面に確実に設置棚を設けることができ、平面ディスプレイのような薄型の筐体を備えるものであっても上部に電子機器や周辺機器を安定して設置することが可能となる。
【発明を実施するための最良の形態】
【００１１】
以下、本発明の実施の形態を図に基づき説明する。
【００１２】
＜設置状態の概要＞
図１は、本実施形態に係るディスプレイ用設置棚の設置状態の概要を説明する模式斜視図である。本実施形態のディスプレイ用設置棚１は、薄型平面ディスプレイ等のディスプレイ１００における筐体１０１の上面に載置されるもので、筐体１０１の上部における前面側（表示面側）と背面側（表示面の反対側）との間で抱え込む状態に各部が構成される。また、各部の角度、長さの調整によって種々のサイズや形状の筐体１０１に対応できるとともに、筐体１０１の上面側に周辺機器等を安定して載置できる平面領域を確保できるようになっている。
【００１３】
本実施形態のディスプレイ用設置棚１は、種々のサイズや形状の筐体１０１に対応できるようにするため、筐体１０１の背面側に配置される部材の角度や長さを調整できる構成となっている。以下の説明では、この部材の角度および長さの異なる２つの態様を例とするが、角度や長さの調整は独立して行うことができるため、この２つの態様以外であっても調整可能である。
【００１４】
図２〜図６は、第１の調整態様を説明する模式図、図７〜図１１は、第２の調整態様を説明する模式図である。先ず、各調整態様を説明するに先立ち、本実施形態のディスプレイ用設置棚１の部材構成を図２に基づき説明する。
【００１５】
＜本実施形態に係るディスプレイ用設置棚の部材構成＞
図２に示すように、本実施形態に係るディスプレイ用設置棚１は、ディスプレイ１００の筐体１０１（図１参照）における前面に当接する状態で配置される前面板１０と、この前面板１０とＬ字型を構成するよう設けられ、筐体１０１における上面に当接する状態で配置される上面板２０と、上面板２０の後端側を支点にして回転可能に設けられる背面板３０と、背面板３０の可動端側を上面板２０の裏面との間で支持するアーム４０と、背面板３０の可動端側に回転可能に設けられ、筐体１０１の表面に接するよう配置されるＵ字型パッド５０とを備える構成となっている。
【００１６】
前面板１０と上面板２０とで構成されるＬ字型はほぼ９０°に設けられており、これらの構成によって筐体１０１の上面における前面側の隅部にＬ字型を掛けた状態で配置できるようになる。
【００１７】
前面板１０と上面板２０とは一体的な板金で構成しても、別体で形成してこれらを連結することで構成してもよい。なお、一体的な板金を折り曲げて構成すれば、部品点数の削減、十分な強度設定が可能となる。また、前面板１０の裏側および上面板２０の裏面には、筐体１０１との当接の際の傷付きを防止するため、スポンジ等のクッション材を設けておくことが望ましい。
【００１８】
上面板２０の後端側に設けられる背面板３０は、上面板２０の後端側で蝶番Ｈ１によって回転可能に保持されている。これにより、背面板３０の下端が可動端となり、上面板２０に対して背面板３０の角度を可動範囲内で自在に設定できるようになっている。
【００１９】
背面板３０の可動端側における左右には２つのアーム４０が取り付けられており、背面板３０と上面板２０の裏面との間の支持を行っている。ここで、アーム４０による支持と、背面板３０の角度調整との両立を図るため、背面板３０の伸縮機構、アーム４０のスライド機構、もしくはこれらの両方の機構を持たせている。
【００２０】
（背面板の伸縮機構）
背面板３０の伸縮機構は、支持板３１に対して可動板３２がスライド可能に設けられた機構である。支持板３１の一端は蝶番Ｈ１によって上面板２０の後端と回転可能に支持され、この支持板３１に対して可動板３２がスライドすることにより背面板３０の伸縮が可能となっている。
【００２１】
可動板３２は支持板３１に重ね合わされた状態から面方向にスライドできるようになっており、可動板３２の左右両端には支持板３１を囲むコの字型の折り曲げ部分が設けられている。この折り曲げ部分に入る支持板３１の左右両端は、可動板３２が伸縮動作する際にスムーズに可動できるよう端面処理（例えば、折り曲げによるＲ形成や面取り）が施されている。
【００２２】
したがって、支持板３１の左右両端を可動板３２の左右両端にあるコの字型の折り曲げ部分に入れて重ね合わせることで、コの字の折り曲げ部分に沿って可動板３２がスライドし、背面板３０の伸縮を行うことができる状態となる。
【００２３】
また、可動板３２にはガイド長孔３２ａがスライド方向に沿って設けられており、支持板３１に設けられたネジＢ１の軸がガイド長孔３２ａに沿って移動して、可動板３２の可動範囲を規制している。可動板３２の伸縮位置を所望の位置で固定する場合には、可動板３２をスライドさせて所望の位置にした状態でこのネジＢ１を締めることで支持板３１と可動板３２との締結が図られ、背面板３０の長さを固定できるようになる。
【００２４】
（アームのスライド機構）
アーム４０の下端側は背面板３０の下端側（可動端側）で蝶番Ｈ２によって取り付けられ、アーム４０の上端側は上面板２０の裏面に沿ってスライドするスライド部材２５に回転可能に取り付けられている。
【００２５】
スライド部材２５は、上面板２０の裏面側、左右両端に設けられたレール部２１に沿って移動可能になっており、このスライド部材２５に左右のアーム４０の上端側がそれぞれ取り付けられている。
【００２６】
上面板２０の裏面側、左右両端に設けられたレール部２１は、上面板２０の左右端部をコの字型に折り曲げて構成したもので、上面板２０と一体に形成することで部品点数の削減とともに、広い平面を備えた上面板２０の強度を十分なものにすることができる。本実施形態では、上面板２０と前面板１０とを一体的に形成するとともに、上面板２０の左右端部を折り曲げることでレール部２１を形成しているため、前面部１０から上面部２０さらにはレール部２１にかけて一体で構成されている。
【００２７】
このレール部２１にはガイド長孔２１ａがスライド方向に沿って設けられており、スライド部材２５に設けられたネジＢ２の軸がガイド長孔２１ａに沿って移動し、スライド部材２５の可動範囲を規制している。スライド部材２５のスライド位置を所望の位置で固定する場合には、スライド部材２５をスライドさせて所望の位置にした状態でこのネジＢ２を締めることでスライド部材２５とレール部２１との締結が図られ、スライド部材２５を所望の位置に固定できるようになる。
【００２８】
上記背面板３０の伸縮機構およびアーム４０のスライド機構のいずれか、もしくは両方によって背面板３０の角度調整と支持との両立を図ることが構成を実現できる。
【００２９】
なお、背面板３０の角度調整と支持との両立を図る機構として、上記以外にもアーム４０の長さを伸縮できる機構であっても可能である。アーム４０の長さを伸縮できる機構は、上記背面板３０の伸縮機構およびアーム４０のスライド機構のいずれか、もしくは両方とともに設けられていてもよい。
【００３０】
ここで、背面板３０の可動端側（伸縮機構の場合には可動板３２の下端側）にはＵ字型パッド５０が回転可能に設けられている。Ｕ字型パッド５０は、アーム４０の蝶番Ｈ２と共通の軸によって回転可能に設けられている。なお、Ｕ字型パッド５０の回転軸として独立した軸を備えていてもよいが、蝶番Ｈ２と共通の軸にすることで部品点数の削減を図ることができる。Ｕ字型パッド５０は、軸を中心として自由に回転できるようになっている。
【００３１】
Ｕ字型パッド５０は、湾曲アーム部５１の両アームの先端が筐体１０１の表面に当接して、背面板３０を介した筐体１０１の保持を実現している。Ｕ字型パッド５０が回転可能に取り付けられていることで、筐体１０１の形状に合わせて湾曲アーム５１の先端が的確に当接できるよう自己整合的に調整される。なお、湾曲アーム５１の両アームの先端には、筐体１０１との当接による傷付きを防止するため、スポンジ等のクッション材を設けておくことが望ましい。また、本実施形態では、パッドがＵ字型の場合を例とするが、筐体１０１と当接する先端部分が分かれている形状であればＵ字型に限定されない。
【００３２】
このような機構によって、背面板３０の可動端側に設けられたＵ字型パッド５０は、次のような可動範囲を実現できる。先ず、背面板３０の伸縮機構では、アーム４０の長さを半径としたアーム４０の下端側の円周移動上を可動範囲にすることができる。また、アーム４０のスライド機構では、背面板３０の長さ（蝶番Ｈ１から可動端までの長さ）を半径とした可動端側の円周移動上を可動範囲にすることができる。また、これら両方の機構を備える場合には、両機構での可動範囲を合成した範囲で移動できることになる。
【００３３】
以上の構成をふまえ、以下に本実施形態のディスプレイ用設置棚１の２つの調整態様を説明する。なお、以下の説明する２つの調整態様では、上記説明した背面板３０の伸縮機構およびアーム４０のスライド機構の両方を備えた場合の態様となっている。
【００３４】
＜第１の調整態様＞
図２〜図６は、第１の調整態様を説明する模式図である。第１の調整態様は、背面板３０が伸びており、スライド部材２５が前面板１０から離れた位置に配置されている状態である。
【００３５】
図２は、第１の調整態様を前面側から見た模式斜視図、図３は、第１の調整態様を背面側から見た模式斜視図である。第１の調整態様では、背面板３０の可動板３２が下側に伸びた状態にあるとともに、スライド部材２５が前面板１０から離れて背面側に位置するため、背面板３０の可動端側に設けられるＵ字型パッド５０は比較的下に位置し、前面板１０との間隔は比較的広く設定されることになる。
【００３６】
このように、背面板３０の可動板３２の位置をネジＢ１によって固定し、スライド部材２５の位置をネジＢ２によって固定することで、前面板１０、上面板２０、背面板３０およびＵ字型パッド５０の位置関係が決まる状態となる。
【００３７】
図４は、第１の調整態様となっているディスプレイ用設置棚を筐体に載置した状態を前面側から見た模式斜視図、図５は、第１の調整態様となっているディスプレイ用設置棚を筐体に載置した状態を背面側から見た模式斜視図である。第１の調整態様によってディスプレイ用設置棚１を筐体１０１に載置すると、前面板１０が筐体１０１の上部前面に当接し、上面板２０（上面板２０と一体のレール部２１）が筐体１０１の上面に当接する状態となる。また、背面板３０の可動端側に設けられたＵ字型パッド５０は、筐体１０１の背面側にある隅部を挟む状態で湾曲アーム部５１の両アームが当接する状態となっている。
【００３８】
つまり、第１の調整態様では、Ｕ字型パッド５０の湾曲アーム部５１が筐体１０１の背面側にある隅部を挟むことができるよう、背面板３０の伸縮位置およびアーム４０のスライド位置を調整している。
【００３９】
この位置で調整して背面板３０の長さおよびアーム４０のスライド位置を各ネジＢ１、Ｂ２によって固定すると、ディスプレイ用設置棚１を筐体１０１の上部に載置するだけで筐体１０１の前面および上面の位置決め、および前面板１０とＵ字型パッド５０を介した背面板３０とによる筐体１０１の奥行き方向の挟み込みが行われ、ディスプレイ用設置棚１を確実に設置することができるようになる。
【００４０】
ディスプレイ用設置棚１は、筐体１０１の上部に載置することで自重によって筐体１０１の押さえ込みが行われる。すなわち、前面板１０が筐体１０１の上部前面に掛かることで前後方向（奥行き方向）の位置決めが行われ、自重が上面板２０から筐体１０１の上面とＵ字型パッド５０から筐体１０１の背面にかかる状態となり、前面板１０とＵ字型パッド５０を介して背面板３０とで筐体１０１を前後方向に挟持して、安定した載置状態を維持できることになる。
【００４１】
図６は、第１の調整態様となっているディスプレイ用設置棚を筐体に配置した状態を側面から見た模式図である。このように、第１の調整態様では、前面板１０が筐体１０１の上部前面に当接し、上面板２０が筐体１０１の上面に当接し、Ｕ字型パッド５０が筐体１０１の背面側の隅部に当接しており、３方向での支持によってディスプレイ用設置棚１を安定して載置できるようになる。この際、背面板３０が内向きになることで自重による力を筐体１０１の挟み込みの力にすることができる。
【００４２】
ディスプレイ用設置棚１が筐体１０１の上部に載置されることで、上面板２０による平らな領域を筐体１０１の上部に構成でき、この平らな領域を棚として利用できるようになる。
【００４３】
なお、ディスプレイ用設置棚１を筐体１０１に載置した状態で上面板２０の水平調整を行うには、載置した状態で背面板３０の可動板３２を固定しているネジＢ１を緩めて背面板３０の長さを調整し、上面板２０が水平になった状態でネジＢ１を固定すればよい。この際、背面板３０の長さが変わることで可動端の位置が変化するが、Ｕ字型パッド５０が背面板３０の可動端に回転自在に設けられていることから、Ｕ字型パッド５０の回転によってその変化を吸収でき、Ｕ字型パッド５０の筐体隅部への当たりを維持できることになる。
【００４４】
＜第２の調整態様＞
図７〜図１１は、第２の調整態様を説明する模式図である。第２の調整態様は、背面板３０が縮んでおり、スライド部材２５が前面板１０に近づいた位置に配置されている状態である。
【００４５】
図７は、第２の調整態様を前面側から見た模式斜視図、図８は、第２の調整態様を背面側から見た模式斜視図である。第２の調整態様では、背面板３０の可動板３２が縮んだ状態にあるとともに、スライド部材２５が前面板１０に近づいた位置にあるため、背面板３０の可動端側に設けられるＵ字型パッド５０は比較的上に位置し、前面板１０との間隔は比較的狭く設定されることになる。
【００４６】
このように、背面板３０の可動板３２の位置をネジＢ１によって固定し、スライド部材２５の位置をネジＢ２によって固定することで、前面板１０、上面板２０、背面板３０およびＵ字型パッド５０の位置関係が決まる状態となる。
【００４７】
図９は、第２の調整態様となっているディスプレイ用設置棚を筐体に載置した状態を前面側から見た模式斜視図、図１０は、第２の調整態様となっているディスプレイ用設置棚を筐体に載置した状態を背面側から見た模式斜視図である。第２の調整態様によってディスプレイ用設置棚１を筐体１０１に載置すると、前面板１０が筐体１０１の上部前面に当接し、上面板２０と一体のレール部２１が筐体１０１の上面に当接する状態となる。また、背面板３０の可動端側に設けられたＵ字型パッド５０は、筐体１０１の背面側にある隅部を挟む状態で湾曲アーム部５１の両アームが当接する状態となっている。
【００４８】
つまり、第２の調整態様では、Ｕ字型パッド５０の湾曲アーム部５１が筐体１０１の背面側にある隅部を挟むことができるよう、背面板３０の伸縮位置およびアーム４０のスライド位置を調整している。
【００４９】
この位置で調整して背面板３０の長さおよびアーム４０のスライド位置を各ネジＢ１、Ｂ２によって固定すると、ディスプレイ用設置棚１を筐体１０１の上部に載置するだけで筐体１０１の前面および上面の位置決め、および前面板１０とＵ字型パッド５０を介した背面板３０とによる筐体１０１の奥行き方向の挟み込みが行われ、ディスプレイ用設置棚１を確実に設置することができるようになる。
【００５０】
ディスプレイ用設置棚１は、筐体１０１の上部に載置することで自重によって筐体１０１の押さえ込みが行われる。すなわち、前面板１０が筐体１０１の上部前面に掛かることで前後方向（奥行き方向）の位置決めが行われ、自重が上面板２０から筐体１０１の上面とＵ字型パッド５０から筐体１０１の背面にかかる状態となり、前面板１０とＵ字型パッド５０を介して背面板３０とで筐体１０１を前後方向に挟持して、安定した載置状態を維持できることになる。
【００５１】
図１１は、第２の調整態様となっているディスプレイ用設置棚を筐体に配置した状態を側面から見た模式図である。このように、第２の調整態様では、前面板１０が筐体１０１の上部前面に当接し、上面板２０が筐体１０１の上面に当接し、Ｕ字型パッド５０が筐体１０１の背面側の隅部に当接しており、３方向での支持によってディスプレイ用設置棚１を安定して載置できるようになる。この際、背面板３０が内向きになることで自重による力を筐体１０１の挟み込みの力にすることができる。
【００５２】
ディスプレイ用設置棚１が筐体１０１の上部に載置されることで、上面板２０による平らな領域を筐体１０１の上部に構成でき、この平らな領域を棚として利用できるようになる。
【００５３】
なお、ディスプレイ用設置棚１を筐体１０１に載置した状態で上面板２０の水平調整を行うには、載置した状態で背面板３０の可動板３２を固定しているネジＢ１を緩めて背面板３０の長さを調整し、上面板２０が水平になった状態でネジＢ１を固定すればよい。この際、背面板３０の長さが変わることで可動端の位置が変化するが、Ｕ字型パッド５０が背面板３０の可動端に回転自在に設けられていることから、Ｕ字型パッド５０の回転によってその変化を吸収でき、Ｕ字型パッド５０の筐体隅部への当たりを維持できることになる。
【００５４】
＜Ｕ字型パッドの構成＞
図１２は、Ｕ字型パッドの構成を説明する平面図である。Ｕ字型パッド５０は、湾曲アーム部５１と回転軸を取り付ける軸受け部５２とを備えており、湾曲アーム部５１の図中左右のアームの先端が内側に折り曲げられた状態となっている。
【００５５】
本実施形態のＵ字型パッド５０では、湾曲アーム部５１の左右対称となる中心線Ｌ１に対して、回転軸を取り付ける軸受け部５２に設けられた軸孔５２ａがずれた位置に配置されており、回転中心が中心軸Ｌ１からずれた位置に設けられている。
【００５６】
具体的には、湾曲アーム部５１の湾曲の中心Ｏを通る左右対称の中心軸をＬ１、中心Ｏと軸孔５２ａの中心を通る軸をＬ２とした場合、Ｌ１に対してＬ２が約１５°傾いた状態に設けられている。
【００５７】
図２および図７に示す各調整態様においても図１２に示す回転中心のずれたＵ字型パッド５０が設けられているが、回転中心に対して長い側のアームが下側となるよう取り付けられている。
【００５８】
図２および図７に示すように、このようなＵ字型パッド５０によって湾曲アーム部５１のＵ字型の開口が内側（前面板１０側）を向く状態となる。したがって、ディスプレイ用設置棚１を筐体１０１の上部に載置した際、その自重による下向きの力がＵ字型パッド５０にかかるとＵ字型パッド５０のＵ字型の開口はさらに内側を向こうとする方向に変換される。これにより、前面板１０とＵ字型パッド５０との間隔が狭くなろうとするため、ディスプレイ用設置棚１の自重によって筐体１０１の前後を挟持する力が増す状態となる。これにより、ディスプレイ用設置棚１を載置するだけで確実な筐体保持を実現できるようになる。
【００５９】
なお、図２および図７に示すいずれの例でも、Ｕ字型パッド５０の湾曲アーム部５１が筐体１０１の背面にある隅部を挟む状態に配置される例を示したが、Ｕ字型パッド５０は必ずしも隅部を挟む必要はなく、平面に当接する場合でも支持することは可能である。
【図面の簡単な説明】
【００６０】
【図１】本実施形態に係るディスプレイ用設置棚の設置状態の概要を説明する模式斜視図である。
【図２】第１の調整態様を前面側から見た模式斜視図である。
【図３】第１の調整態様を背面側から見た模式斜視図である。
【図４】第１の調整態様となっているディスプレイ用設置棚を筐体に載置した状態を前面側から見た模式斜視図である。
【図５】第１の調整態様となっているディスプレイ用設置棚を筐体に載置した状態を背面側から見た模式斜視図である。
【図６】第１の調整態様となっているディスプレイ用設置棚を筐体に配置した状態を側面から見た模式図である。
【図７】第２の調整態様を前面側から見た模式斜視図である。
【図８】第２の調整態様を背面側から見た模式斜視図である。
【図９】第２の調整態様となっているディスプレイ用設置棚を筐体に載置した状態を前面側から見た模式斜視図である。
【図１０】第２の調整態様となっているディスプレイ用設置棚を筐体に載置した状態を背面側から見た模式斜視図である。
【図１１】第２の調整態様となっているディスプレイ用設置棚を筐体に配置した状態を側面から見た模式図である。
【図１２】Ｕ字型パッドの構成を説明する平面図である。
【符号の説明】
【００６１】
１…ディスプレイ用設置棚、１０…前面板、２０…上面板、２１…レール部、２５…スライド部材、３０…背面板、３１…支持板、３２…可動板、４０…アーム、５０…Ｕ字型パッド、５１…湾曲アーム部、１００…ディスプレイ、１０１…筐体
【図１】
2009033370.tif 000003
【図２】
2009033370.tif 000004
【図３】
2009033370.tif 000005
【図４】
2009033370.tif 000006
【図５】
2009033370.tif 000007
【図６】
2009033370.tif 000008
【図７】
2009033370.tif 000009
【図８】
2009033370.tif 000010
【図９】
2009033370.tif 000011
【図１０】
2009033370.tif 000012
【図１１】
2009033370.tif 000013
【図１２】
2009033370.tif 000014